(57)【要約】【課題】多芯シールドケーブルの抜けを防止することができ、電気的特性の向上が図れるシールドコネクタを提供する。【解決手段】シールドコネクタ１は、多芯シールドケーブル２の電線１３，１４に接続される端子が収容されたハウジングと、ハウジングを収容する導電性のシェルと、導電性の一対のダイカスト６，７と、多芯シールドケーブル２の端末を一方のダイカスト６に固定する固定構造１１と、を有している。固定構造１１は、多芯シールドケーブル２の端末の編組１７の内側に挿入される筒状のスリーブ８と、編組１７及びシース１８をスリーブ８との間に挟持して多芯シールドケーブル２の端末をかしめるクランプ９と、ダイカスト６の多芯シールドケーブル２の端末が重ねられる表面６１から凹に形成され、クランプ９の一部が圧入される凹部１０と、で構成されている。【選択図】図２
2011060425.tif 000002
【特許請求の範囲】
【請求項１】
複数の電線が編組で被覆され、該編組がシースで被覆された多芯シールドケーブルの端末に取り付けられるシールドコネクタにおいて、
各電線の端末に接続される端子が収容されたハウジングと、該ハウジングを収容する導電性のシェルと、互いに重ねられて前記多芯シールドケーブルの端末及び前記シェルを互いの間に位置付ける導電性の一対のダイカストと、前記多芯シールドケーブルの端末を前記一対のダイカストの一方に固定する固定構造と、を有し、そして、
前記固定構造が、前記多芯シールドケーブルの端末の前記編組の内側に挿入される筒状のスリーブと、前記編組及び前記シースを前記スリーブとの間に挟持して前記多芯シールドケーブルの端末をかしめるクランプと、前記一方のダイカストの前記多芯シールドケーブルの端末が重ねられる表面から凹に形成され、前記クランプの一部が圧入される凹部と、で構成されている
ことを特徴とするシールドコネクタ。
【請求項２】
前記クランプが、半円筒状に形成され、前記多芯シールドケーブルの端末を内側に位置付けるとともに前記多芯シールドケーブルの端末を前記一方のダイカストの前記表面に押し付けるかしめ部と、前記かしめ部の両端部から互いに離れる方向に板状に延び、前記一方のダイカストに設けられた一対の前記凹部に圧入される一対の固定部と、を有しており、かつ、各固定部の幅が各凹部の幅よりも大きく形成されていることを特徴とする請求項１に記載のシールドコネクタ。
【請求項３】
前記スリーブが、前記多芯シールドケーブルの端末の前記編組の内側に挿入される筒状のスリーブ本体と、該スリーブ本体の一端部から鍔状に延び、前記多芯シールドケーブルの外部に位置付けられる鍔部と、を有しており、かつ、前記鍔部の前記スリーブ本体側の面が前記一方のダイカストの前記多芯シールドケーブルの軸方向と交差する面に当接することを特徴とする請求項１または請求項２に記載のシールドコネクタ。
【請求項４】
前記クランプが導電性の材料で構成されており、前記シースが皮剥きされることで露出された前記編組が、前記クランプ、及び、前記一方のダイカストの前記表面に接触し導通することを特徴とする請求項１ないし請求項３のうち１項に記載のシールドコネクタ。
【発明の詳細な説明】
【技術分野】
【０００１】
本発明は、電子機器同士の接続等に用いられるコネクタに関し、特に、多芯シールドケーブルの端末に取り付けられるシールドコネクタに関するものである。
【背景技術】
【０００２】
自動車には種々の電子機器が搭載されている。これら電子機器同士を接続する際には従来よりワイヤハーネスが用いられてきた。ワイヤハーネスとは電線とこの電線の端末に取り付けられたコネクタとで構成されるものである。そして、このワイヤハーネスのコネクタが電子機器のケースなどに固定されたコネクタに接続されることで電子機器同士が接続される。
【０００３】
上記ワイヤハーネスのコネクタは、電子機器のコネクタから抜き取られる際、ユーザが電線部分を引っ張って抜こうとすることで、電線から外れてしまうことがある。このような電線の抜けを防止するコネクタとして、例えば、特許文献１（特開２００７−３１１２１６号公報）に示されたコネクタが提案されている。
【０００４】
特許文献１に記載された上記コネクタ２０１は、図１１及び図１２に示すように、平行３芯ケーブル２０２の端末に取り付けられたコネクタである。平行３芯ケーブル２０２は、１芯の被覆電線にシールド部材と外皮とが被せられた１芯シールド線が３本平行に一体化されたケーブルである。
【０００５】
上記コネクタ２０１は、平行３芯ケーブル２０２の各１芯シールド線の一端より引き出された芯線とシールド部材とにそれぞれ接続された端子２０３が収容される合成樹脂製のコネクタ本体２０４と、コネクタ本体２０４に嵌着される合成樹脂製のカバー２０５と、合成樹脂製またはゴム製のブッシュ２０６と、平行３芯ケーブル２０２に取り付けられるクランプ金具２０７と、カバー２０５の内部に収容される合成樹脂製のスペーサ２０８と、を有している。
【０００６】
上記カバー２０５は、有底の四角筒状に形成されており、その底壁２０５ａの中央に平行３芯ケーブル２０２が通される穴が設けられている。
【０００７】
上記ブッシュ２０６は、平行３芯ケーブル２０２の外周に取り付けられる筒状のブッシュ本体２０６ａと、このブッシュ本体２０６ａの一端部から鍔状に延びたフランジ部２０６ｂと、を一体に有している。ブッシュ本体２０６ａは、カバー２０５の底壁２０５ａの穴を通されてカバー２０５の外部に位置付けられる。フランジ部２０６ｂは、カバー２０５の底壁２０５ａの内面に重ねられる。
【０００８】
上記クランプ金具２０７は、金属板にプレス加工等が施されて得られるものであり、図１２及び図１３に示すように、平行３芯ケーブル２０２をかしめるかしめ部２０７ａと、このかしめ部２０７ａの端面から連設され、平行３芯ケーブル２０２の左右外側に位置付けられる一対の突片２０７ｂと、を一体に有している。かしめ部２０７ａは、ブッシュ２０６のブッシュ本体２０６ａの内側に位置付けられる。一対の突片２０７ｂは、ブッシュ２０６のフランジ部２０６ｂに重ねられる。
【０００９】
上記スペーサ２０８は、カバー２０５の底壁２０５ａと対向する底板２０８ａと、この底板２０８ａの左右側縁から立設した一対の立設板２０８ｂと、を一体に有している。また、底板２０８ａの中央には、平行３芯ケーブル２０２が通される穴が設けられている。底板２０８ａは、カバー２０５の底壁２０５ａとの間にクランプ金具２０７の一対の突片２０７ｂとブッシュ２０６のフランジ部２０６ｂとを挟持する。
【００１０】
上記構成のコネクタ２０１は、平行３芯ケーブル２０２が引っ張られた際には、平行３芯ケーブル２０２に取り付けられたクランプ金具２０７の一対の突片２０７ｂが、ブッシュ２０６のフランジ部２０６ｂを介してカバー２０５の底壁２０５ａで受け止められるので、平行３芯ケーブル２０２が引っ張られることによる外力が平行３芯ケーブル２０２の端子２０３との接続部に作用しない。また、平行３芯ケーブル２０２がコネクタ本体２０４側に押し込まれた場合には、クランプ金具２０７の一対の突片２０７ｂがスペーサ２０８の底板２０８ａで受け止められるので、平行３芯ケーブル２０２が押し込まれることによる外力が平行３芯ケーブル２０２の端子２０３との接続部に作用しない。したがって、平行３芯ケーブル２０２が引っ張られたり押し込まれたりした場合でも、平行３芯ケーブル２０２の端子２０３との接続部に外力が作用せず、平行３芯ケーブル２０２の端子２０３との接続が不良になったり断たれることがない。
【先行技術文献】
【特許文献】
【００１１】
【特許文献１】特開２００７−３１１２１６号公報
【発明の概要】
【発明が解決しようとする課題】
【００１２】
しかしながら、特許文献１に示されたコネクタ２０１は、クランプ金具２０７の一対の突片２０７ｂが、片持ち状に形成されており、平行３芯ケーブル２０２が引っ張られたり押し込まれたりすることによって変形しやすいという問題があった。即ち、平行３芯ケーブル２０２の抜けが生じるおそれがあるという問題があった。また、コネクタ２０１は、平行３芯ケーブル２０２をクランプ金具２０７のかしめ部２０７ａでかしめることで、平行３芯ケーブル２０２の芯線にダメージが生じやすいという問題があった。さらに、コネクタ２０１は、端子２０３の周囲に電磁シールド構造が設けられておらず、シールド性能が十分ではないという問題があった。
【００１３】
そこで、本発明は、上記のような問題点に着目し、多芯シールドケーブルの抜けを防止することができ、電気的特性の向上が図れるシールドコネクタを提供することを目的とする。
【課題を解決するための手段】
【００１４】
上記目的を達成するために請求項１に記載された発明は、複数の電線が編組で被覆され、該編組がシースで被覆された多芯シールドケーブルの端末に取り付けられるシールドコネクタにおいて、各電線の端末に接続される端子が収容されたハウジングと、該ハウジングを収容する導電性のシェルと、互いに重ねられて前記多芯シールドケーブルの端末及び前記シェルを互いの間に位置付ける導電性の一対のダイカストと、前記多芯シールドケーブルの端末を前記一対のダイカストの一方に固定する固定構造と、を有し、そして、前記固定構造が、前記多芯シールドケーブルの端末の前記編組の内側に挿入される筒状のスリーブと、前記編組及び前記シースを前記スリーブとの間に挟持して前記多芯シールドケーブルの端末をかしめるクランプと、前記一方のダイカストの前記多芯シールドケーブルの端末が重ねられる表面から凹に形成され、前記クランプの一部が圧入される凹部と、で構成されていることを特徴とするシールドコネクタである。
【００１５】
請求項２に記載された発明は、請求項１に記載された発明において、前記クランプが、半円筒状に形成され、前記多芯シールドケーブルの端末を内側に位置付けるとともに前記多芯シールドケーブルの端末を前記一方のダイカストの前記表面に押し付けるかしめ部と、前記かしめ部の両端部から互いに離れる方向に板状に延び、前記一方のダイカストに設けられた一対の前記凹部に圧入される一対の固定部と、を有しており、かつ、各固定部の幅が各凹部の幅よりも大きく形成されていることを特徴とするものである。
【００１６】
請求項３に記載された発明は、請求項１または請求項２に記載された発明において、前記スリーブが、前記多芯シールドケーブルの端末の前記編組の内側に挿入される筒状のスリーブ本体と、該スリーブ本体の一端部から鍔状に延び、前記多芯シールドケーブルの外部に位置付けられる鍔部と、を有しており、かつ、前記鍔部の前記スリーブ本体側の面が前記一方のダイカストの前記多芯シールドケーブルの軸方向と交差する面に当接することを特徴とするものである。
【００１７】
請求項４に記載された発明は、請求項１ないし請求項３のうち１項に記載された発明において、前記クランプが導電性の材料で構成されており、前記シースが皮剥きされることで露出された前記編組が、前記クランプ、及び、前記一方のダイカストの前記表面に接触し導通することを特徴とするものである。
【発明の効果】
【００１８】
請求項１に記載された発明によれば、前記固定構造が、前記多芯シールドケーブルの端末の前記編組の内側に挿入される筒状のスリーブと、前記編組及び前記シースを前記スリーブとの間に挟持して前記多芯シールドケーブルの端末をかしめるクランプと、前記一方のダイカストの前記多芯シールドケーブルの端末が重ねられる表面から凹に形成され、前記クランプの一部が圧入される凹部と、で構成されているので、多芯シールドケーブルが引っ張られたり押し込まれたりした場合には、多芯シールドケーブルが引っ張られたり押し込まれたりすることによる外力がクランプと凹部とで受け止められるので、前記外力が各電線の各端子との接続部に作用せず、各電線と各端子との接続を良好に保つことができる。即ち、多芯シールドケーブルが本シールドコネクタから抜けることを防止することができる。また、クランプによって編組及びシースをスリーブとの間に挟持するように多芯シールドケーブルの端末をかしめているので、多芯シールドケーブルの各電線の芯線にダメージが生じることを回避できる。そして、クランプによって多芯シールドケーブルをかしめているので、複数の電線がばらけることを防止でき、各電線と各端子との接続を良好に保つことができる。また、端子の周囲を電磁シールドするシェルと、前記シェルの周囲及び多芯シールドケーブルの端末の周囲を電磁シールドする一対のダイカストと、を有しているので、本シールドコネクタのシールド性能の向上を図ることができる。これらのことにより、多芯シールドケーブルの抜けを防止することができ、電気的特性の向上が図れるシールドコネクタを提供することができる。
【００１９】
請求項２に記載された発明によれば、前記クランプが、半円筒状に形成され、前記多芯シールドケーブルの端末を内側に位置付けるとともに前記多芯シールドケーブルの端末を前記一方のダイカストの前記表面に押し付けるかしめ部と、前記かしめ部の両端部から互いに離れる方向に板状に延び、前記一方のダイカストに設けられた一対の前記凹部に圧入される一対の固定部と、を有しており、かつ、各固定部の幅が各凹部の幅よりも大きく形成されているので、簡便な構造のクランプ及び凹部によって多芯シールドケーブルの抜けを防止することができる。
【００２０】
請求項３に記載された発明によれば、前記スリーブが、前記多芯シールドケーブルの端末の前記編組の内側に挿入される筒状のスリーブ本体と、該スリーブ本体の一端部から鍔状に延び、前記多芯シールドケーブルの外部に位置付けられる鍔部と、を有しており、かつ、前記鍔部の前記スリーブ本体側の面が前記一方のダイカストの前記多芯シールドケーブルの軸方向と交差する面に当接するので、多芯シールドケーブルが引っ張られることによる外力がスリーブの鍔部と一方のダイカストの前記面とで受け止められるので、多芯シールドケーブルの抜けをより確実に防止することができる。
【００２１】
請求項４に記載された発明によれば、前記クランプが導電性の材料で構成されており、前記シースが皮剥きされることで露出された前記編組が、前記クランプ、及び、前記一方のダイカストの前記表面に接触し導通するので、編組、クランプ、一対のダイカスト、シェル、が互いに電気接続され、簡便な構造によってこれら部材をグランドに接続することができる。
【図面の簡単な説明】
【００２２】
【図１】本発明の一実施の形態に係るシールドコネクタの斜視図である。
【図２】図１中のＡ−Ａ線に沿った断面図である。
【図３】図１中のＢ−Ｂ線に沿った断面図である。
【図４】図１に示されたシールドコネクタの分解図である。
【図５】図４中のＣ−Ｃ線に沿った断面図である。
【図６】図４中のＤ−Ｄ線に沿った断面図である。
【図７】図１に示されたシールドコネクタの固定構造を示す平面図である。
【図８】図７に示された固定構造における固定部及び凹部の寸法関係を説明する説明図である。
【図９】図７に示されたクランプの固定部をダイカストの凹部に圧入する様子を説明する説明図である。
【図１０】図４に示された電線と端子との接続箇所を示す斜視図である。
【図１１】従来のコネクタの斜視図である。
【図１２】図１１に示されたコネクタの分解図である。
【図１３】図１２に示されたクランプ金具の斜視図である。
【発明を実施するための形態】
【００２３】
以下、本発明の一実施の形態に係るシールドコネクタを図１ないし図１０を参照しながら説明する。
【００２４】
上記シールドコネクタ１は、図１に示すように、多芯シールドケーブル２の端末に取り付けられ、ＤＶＤ機器、ＡＶアンプ、デジタルハイビジョンテレビ等の電子機器のコネクタに接続されるＨＤＭＩ（High Definition Multimedia Interface）コネクタである。
【００２５】
上記多芯シールドケーブル２は、図５及び図６に示すように、複数の電線１３，１４が金属箔１６及び編組１７で被覆され、この編組１７が絶縁性の合成樹脂からなるシース１８で被覆されたケーブルである。また、電線１３は、芯線１３ａが絶縁被覆１３ｂで被覆された丸電線である。また、電線１４は、ドレイン線である。また、図５及び図６中の符号１５は、複数の電線１３及び電線１４を包んだ金属箔である。また、編組１７は、導電性の細線が編み込まれて筒状に形成されたものである。また、編組１７は、金属箔１６の外側に配置されている。また、金属箔１５，１６及び編組１７は、電磁波や静電気などの電気的なノイズの影響を遮断するためのものである。また、この多芯シールドケーブル２は、その端末において、シース１８が皮剥きされて編組１７の先端部が露出されている。さらに、露出された編組１７の先端部は外側に折り返されている。
【００２６】
上記シールドコネクタ１は、図２ないし図４に示すように、各電線１３，１４の端末に接続される端子３が収容された合成樹脂製のハウジング４と、このハウジング４を収容する導電性の金属で構成されたシェル５と、互いに重ねられて多芯シールドケーブル２の端末及びシェル５を互いの間に位置付ける導電性の金属で構成された一対のダイカスト６，７と、多芯シールドケーブル２の端末を一対のダイカスト６，７のうち一方のダイカスト６に固定する固定構造１１と、を有している。
【００２７】
上記ハウジング４は、図３に示すように、一対のダイカスト６，７の間に位置付けられるハウジング本体４０と、ハウジング本体４０から相手側コネクタ側に延び、一対のダイカスト６，７の外部に位置付けられるハウジング延設部４１と、を一体に有している。また、ハウジング延設部４１の外径は、ハウジング本体４０の外径よりも小さく形成されている。また、ハウジング本体４０には、図４に示すように、一対のダイカスト６，７に係止されるダイカスト係止部４２と、シェル５に係止されるシェル係止部４３と、が設けられている。
【００２８】
上記シェル５は、図３及び図４に示すように、ハウジング本体４０の外側に位置付けられるとともに一対のダイカスト６，７の間に位置付けられる筒状のシェル本体５０と、シェル本体５０から相手側コネクタ側に筒状に延び、ハウジング延設部４１の外側に位置付けられるとともに一対のダイカスト６，７の外部に位置付けられるシェル延設部５１と、を一体に有している。また、シェル延設部５１の外径は、シェル本体５０の外径よりも小さく形成されている。また、シェル延設部５１には、図４に示すように、シェル係止部４３が係止される係止穴５２が設けられている。このようなシェル５は、ハウジング４を覆うことにより、電磁波や静電気などの電気的なノイズの影響を遮断してハウジング４内の端子３を電磁シールドする。また、シェル５は、シェル本体５０が一対のダイカスト６，７の内面に突き当てられて、一対のダイカスト６，７に電気的に接続されている。
【００２９】
上記一対のダイカスト６，７は、図１に示すように、互いに重ねられることで箱形状をなす。また、一対のダイカスト６，７の相手側コネクタ側の一端部には、シェル延設部５１を一対のダイカスト６，７の外部に突出させる穴２１が形成されており、一対のダイカスト６，７の多芯シールドケーブル２側の他端部には、多芯シールドケーブル２を一対のダイカスト６，７の外部に突出させる穴２２が形成されている。また、一対のダイカスト６，７は、図４に示す一対のネジ１２によって互いに固定される。このような一対のダイカスト６，７は、多芯シールドケーブル２の端末及びシェル５、即ち端子３、を覆うことにより、電磁波や静電気などの電気的なノイズの影響を遮断して多芯シールドケーブル２の端末及びシェル５、即ち端子３、を電磁シールドする。
【００３０】
上記固定構造１１は、図２及び図７などに示すように、多芯シールドケーブル２の端末の編組１７と金属箔１６との間に挿入されるスリーブ８と、編組１７及びシース１８をスリーブ８との間に挟持して多芯シールドケーブル２の端末をかしめるクランプ９と、一方のダイカスト６の多芯シールドケーブル２の端末が重ねられる表面６１から凹に形成され、クランプ９の一部が圧入される一対の凹部１０と、で構成されている。
【００３１】
上記スリーブ８は、図４及び図９に示すように、多芯シールドケーブル２の端末の編組１７と金属箔１６との間に挿入される円筒状のスリーブ本体８０と、このスリーブ本体８０の一端部から鍔状に延び、多芯シールドケーブル２の外部に位置付けられる鍔部８１と、を有している。また、鍔部８１のスリーブ本体８０側の面８２は、一方のダイカスト６の多芯シールドケーブル２の軸方向と交差する面６２に当接する。
【００３２】
上記クランプ９は、導電性の金属で構成されており、図２及び図９に示すように、半円筒状に形成され、多芯シールドケーブル２の端末を内側に位置付けるとともに多芯シールドケーブル２の端末を一方のダイカスト６の前記表面６１に押し付けるかしめ部９０と、かしめ部９０の両端部から互いに離れる方向に板状に延び、一方のダイカスト６に設けられた一対の凹部１０に圧入される一対の固定部９１と、を有している。また、かしめ部９０は、シース１８が皮剥きされることで露出された編組１７の先端部の二重に折り返された部分、及び、シース１８の先端部を内側に位置付ける。即ち、編組１７の先端部は、多芯シールドケーブル２の端末がクランプ９によって一方のダイカスト６に固定されることによって、クランプ９及び一方のダイカスト６の前記表面６１に接触し導通する。
【００３３】
一方のダイカスト６の多芯シールドケーブル２の端末が重ねられる上記「表面６１」は、一方のダイカスト６の他端部に設けられており、多芯シールドケーブル２の外表面に沿う曲面形状に形成されている。
【００３４】
上記一対の凹部１０は、上記「表面６１」の、多芯シールドケーブル２の軸方向と直交する方向に沿った両側に設けられている。また図８に示すように、クランプ９の各固定部９１の、多芯シールドケーブル２の軸方向に沿った幅ｌは、各凹部１０の、多芯シールドケーブル２の軸方向に沿った幅ｍよりも大きく形成されている。このような固定部９１は、図９に示すように、矢印Ｅ方向に押圧されることで凹部１０に圧入されて一方のダイカスト６に固定される。
【００３５】
上記構成のシールドコネクタ１を組み立てる手順について説明する。まず、多芯シールドケーブル２、端子３、ハウジング４、シェル５、一対のダイカスト６，７、スリーブ８、クランプ９をあらかじめ別々に製造しておく。また、多芯シールドケーブル２については、シース１８を皮剥きして編組１７を露出させ、かつ、この編組１７の先端部を外側に折り返しておく。また、電線１３の絶縁被覆１３ｂを皮剥きして芯線１３ａを露出させておく。
【００３６】
次に、各端子３をハウジング４に組み付け、このハウジング４にシェル５を組み付ける。また、スリーブ８のスリーブ本体８０を多芯シールドケーブル２の端末の編組１７と金属箔１６との間に挿入する。そして、図１０に示すように、各端子３と各電線１３の芯線１３ａ及び各電線１４を溶着して電気接続する。
【００３７】
そして、ハウジング４及びシェル５を一方のダイカスト６に重ねるとともに、多芯シールドケーブル２の端末を一方のダイカスト６の表面６１に重ねる。また、スリーブ８の鍔部８１の面８２を一方のダイカスト６の面６２に当接させる。その後、図９に示すように、編組１７及びシース１８をスリーブ本体８０との間に挟持するように多芯シールドケーブル２の端末にクランプ９のかしめ部９０を取り付け、このクランプ９の一対の固定部９１を矢印Ｅ方向に押圧して一対の凹部１０に圧入する。なお、図９においては、端子３、ハウジング４、シェル５を省略している。
【００３８】
最後に、一方のダイカスト６に他方のダイカスト７を重ねて、これら一対のダイカスト６，７同士をネジ１２で固定して、シールドコネクタ１の組み立てが完了する。
【００３９】
このようにして組み立てられたシールドコネクタ１は、シェル延設部５１が相手側コネクタ内に挿入される格好で相手側コネクタに接続される。また、多芯シールドケーブル２の編組１７は、クランプ９及び一方のダイカスト６、シェル５を介して相手側コネクタに電気的に接続され、グランドに接続される。
【００４０】
また、シールドコネクタ１の相手側コネクタへの接続時に、多芯シールドケーブル２が相手側コネクタ側に押し込まれた場合には、多芯シールドケーブル２が押し込まれることによる外力がクランプ９と凹部１０とで受け止められるので、前記外力が各電線１３，１４の各端子３との接続部に作用せず、各電線１３，１４と各端子３との接続を良好に保つことができる。また、シールドコネクタ１を相手側コネクタから抜き取る際に多芯シールドケーブル２が引っ張られた場合には、多芯シールドケーブル２が引っ張られることによる外力がクランプ９と凹部１０とで受け止められるとともにスリーブ８の鍔部８１と一方のダイカスト６の面６２とで受け止められるので、前記外力が各電線１３，１４の各端子３との接続部に作用せず、各電線１３，１４と各端子３との接続を良好に保つことができる。したがって、多芯シールドケーブル２が引っ張られたり押し込まれたりした場合でも、多芯シールドケーブル２がシールドコネクタ１から抜けることを防止することができる。
【００４１】
また、本発明によれば、クランプ９によって編組１７及びシース１８をスリーブ本体８０との間に挟持するように多芯シールドケーブル２の端末をかしめているので、多芯シールドケーブル２の各電線１３の芯線１３ａ及び各電線１４にダメージが生じることを回避できる。そして、クランプ９によって多芯シールドケーブル２をかしめているので、複数の電線１３，１４がばらけることを防止でき、各電線１３，１４と各端子３との接続を良好に保つことができる。
【００４２】
また、本発明によれば、端子３の周囲を電磁シールドするシェル５と、シェル５の周囲及び多芯シールドケーブル２の端末の周囲を電磁シールドする一対のダイカスト６，７と、を有しているので、本シールドコネクタ１のシールド性能の向上を図ることができる。これらのことにより、多芯シールドケーブル２の抜けを防止することができ、電気的特性の向上が図れるシールドコネクタ１を提供することができる。
【００４３】
また、本発明によれば、クランプ９の各固定部９１の幅ｌが各凹部１０の幅ｍよりも大きく形成されているので、簡便な構造のクランプ９及び凹部１０によって多芯シールドケーブル２の抜けを防止することができる。
【００４４】
また、本発明によれば、クランプ９が導電性の材料で構成されており、多芯シールドケーブル２の編組１７が、クランプ９及び一方のダイカスト６に接触し導通するので、編組１７、クランプ９、一対のダイカスト６，７、シェル５、が互いに電気接続され、簡便な構造によってこれら部材をグランドに接続することができる。
【００４５】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４６】
１  シールドコネクタ
２  多芯シールドケーブル
３  端子
４  ハウジング
５  シェル
６，７  ダイカスト
８  スリーブ
９  クランプ
１０  凹部
１１  固定構造
１３，１４  電線
１７  編組
１８  シース
【図１】
2011060425.tif 000003
【図２】
2011060425.tif 000004
【図３】
2011060425.tif 000005
【図４】
2011060425.tif 000006
【図５】
2011060425.tif 000007
【図６】
2011060425.tif 000008
【図７】
2011060425.tif 000009
【図８】
2011060425.tif 000010
【図９】
2011060425.tif 000011
【図１０】
2011060425.tif 000012
【図１１】
2011060425.tif 000013
【図１２】
2011060425.tif 000014
【図１３】
2011060425.tif 000015